(57)【要約】  既存の窓よりも室内側に、該既存の窓に略平行に設けられた板状体と、  該板状体の所定箇所に接続されて設けられた配線と、  該配線を収納して覆う枠体と、を有する。
2019017393.tif 000002
【特許請求の範囲】
【請求項１】
既存の窓よりも室内側に、該既存の窓に略平行に設けられた板状体と、
該板状体の所定箇所に接続されて設けられた配線と、
該配線を収納して覆う枠体と、を有する多重窓構造。
【請求項２】
前記板状体は、調光ガラスである請求項１に記載の多重窓構造。
【請求項３】
前記板状体は、前記既存の窓と接触せず、前記既存の窓とは独立して設けられている請求項１又は２に記載の多重窓構造。
【請求項４】
前記枠体は、前記板状体を少なくとも１点で固定する請求項１乃至３のいずれか一項に記載の多重窓構造。
【請求項５】
前記所定箇所は、前記板状体の上辺にある請求項１乃至４のいずれか一項に記載の多重窓構造。
【請求項６】
前記板状体の室外側への移動を規制する外側規制部材と、
前記板状体の室内側への移動を規制する内側規制部材と、を更に有し、
前記板状体の少なくとも一部分が、前記外側規制部材と前記内側規制部材とにより固定されている請求項４に記載の多重窓構造。
【請求項７】
前記外側規制部材は、前記枠体に含まれ、前記板状体の上辺の室外側への移動を規制する上辺外側規制部材を含み、
前記内側規制部材は、前記枠体に含まれ、前記板状体の前記上辺の室内側への移動を規制する上辺内側規制部材を含み、
前記枠体は、前記配線を覆うカバー部材を有し、
前記板状体の前記上辺の少なくとも１点は、前記上辺外側規制部材及び前記上辺内側規制部材により固定されている請求項６に記載の多重窓構造。
【請求項８】
前記外側規制部材は、前記板状体の下辺の室外側への移動を規制する下辺外側規制部材を含み、
前記内側規制部材は、前記板状体の下辺の室内側への移動を規制する下辺内側規制部材を含み、
前記内側規制部材は、取り外し可能に設けられている請求項６又は７に記載の多重窓構造。
【請求項９】
前記外側規制部材及び前記内側規制部材は、前記既存の窓が設けられた室内で固定面を形成する箇所に取り付け固定されている請求項６乃至８のいずれか一項に記載の多重窓構造。
【請求項１０】
前記外側規制部材は、Ｌ字形の断面形状を有する部材である請求項６乃至９のいずれか一項に記載の多重窓構造。
【請求項１１】
前記外側規制部材の室内側には、緩衝材が設けられた請求項６乃至１０のいずれか一項に記載の多重窓構造。
【請求項１２】
前記外側規制部材は、水平方向に延びる通し部材として構成され、
下側に設けられた前記外側規制部材の室外側の下端には、突起又は窪み形状により奥行きのある空間が形成され、該空間にシール材が設けられた請求項６乃至１１のいずれか一項に記載の多重窓構造。
【請求項１３】
前記板状体の一方の表面上にはＬｏｗ−Ｅ膜がコーティングされている請求項６乃至１２のいずれか一項に記載された多重窓構造。
【請求項１４】
請求項１乃至１３のいずれか一項に記載の多重窓構造の施工方法であって、
前記板状体を前記既存の窓よりも内側の所定位置に取り付ける板状体取り付け工程と、
前記配線を接続設置するための配線工事を行う工程と、
前記配線工事された前記配線を覆う前記枠体を取り付ける枠体取り付け工程と、を有し、
前記板状体取り付け工程、前記配線工事を行う工程、前記枠体取り付け工程の順に行う多重窓構造の施工方法。
【発明の詳細な説明】
【技術分野】
【０００１】
本発明は、多重窓構造及びその施工方法に関する。
【背景技術】
【０００２】
従来から、通電部として液晶層をサンドイッチ状に内蔵した調光ガラスからなる窓用板体建て込み用のサッシ溝をサッシ本体に形成してあるサッシであって、窓用板体から延出してなる電気配線のための配線収容空間をサッシ本体内に形成しているサッシが知られている（例えば、特許文献１参照）。かかるサッシにおいては、サッシ溝内の窓用板体からの電気配線を上述の配線収容空間内に引き込むための配線引込孔を設け、配線収容空間内に収容される電気配線の配線作業用開口部をサッシの長手方向に沿って形成している。かかる配線収容空間をサッシ溝と別に形成した構成により、サッシ溝内に電気配線を収容する必要が無くなり、窓用板体の周部と電気配線とを別々の空間内に収容でき、窓用板体の建込作業と配線作業とを別々に行うことができ、配線作業をサッシ長手方向に形成された開口部を通して外部から行えるため、作業箇所のスペースを大きくして作業をし易くすることができる。【０００３】
上述の調光ガラスは、ガラス自体が透過率、遮光性能を変化させられることから、ブラインド、カーテン等を不要とする技術として近年注目されている。調光ガラスは、その構造特性上、特殊な中間部品を介在した合わせガラス構造であることが一般的であり、同時にその調光機能のために電気配線が必要であり、上述の特許文献１に記載されているように、電気配線を収納する構成が必要となる。【０００４】
上述のような特許文献１に記載の調光ガラス用のサッシの構成は、新築ビルへの応用であれば、初期段階から計画・設計し、製造、施工することが可能となる。そして、実際、多くの調光ガラスは、新築ビルを対象として開発が行われている。
【先行技術文献】
【特許文献】
【０００５】
【特許文献１】実開平３−１１９１９４号公報
【発明の概要】
【発明が解決しようとする課題】
【０００６】
しかしながら、特許文献１に記載されたような新築向けのサッシを、既に存在する多数の建築物に展開することを考えた場合、サッシ枠自体を作り変え、ガラスも調光ガラスに置き換える必要がある。そうすると、全面的な交換工事が必要となり、足場や養生も必要となることから、大規模な予算及び期間が必要になることが容易に想像できる。実際には、このような交換工事を行うことはできないし、また、今まで実際に実施されたことも無かった。【０００７】
更に、調光ガラスのみならず、他にも太陽電池、LED内蔵ガラス、発熱ガラス、ブラインド内蔵ガラス等の配線付きの板状体が存在し、かかる配線付き板状体を既在の建築物に設置したい場合にも、同様の問題が発生し得る。【０００８】
そこで、本発明は、こうした背景に鑑み、既存のガラスが設置された既存のビル等を対象として、大規模な改修工事を行うことなく、比較的簡易な方法で最先端の技術である調光ガラス及び他の配線付き板状体を設置することが可能な多重窓構造及びその施工方法を提供することを目的とする。
【課題を解決するための手段】
【０００９】
上記目的を達成するため、本発明の一態様に係る多重窓構造は、既存の窓よりも室内側に、該既存の窓に略平行に設けられた板状体と、
該板状体の所定箇所に接続されて設けられた配線と、
該配線を収納して覆う枠体と、を有する。
【発明の効果】
【００１０】
本発明によれば、簡素な構成で美観を保ちつつ調光ガラス及び他の配線付き板状体を既存の窓に設置することができる。
【図面の簡単な説明】
【００１１】
【図１】本発明の第１の実施形態に係る多重窓構造の一例を示した縦断面図である。
【図２】本発明の第１の実施形態に係る多重窓構造の一例を室内側から見た正面図である。
【図３】本発明の第１の実施形態に係る多重窓構造の一例の横断面図である。
【図４】本発明の第１の実施形態に係る多重窓構造の連続設置の場合の一例の横断面図である。
【図５】本発明の第１の実施形態に係る多重窓構造の施工方法のベース部材取り付け工程の一例を示した図である。
【図６】本発明の第１の実施形態に係る多重窓構造の施工方法の調光ガラス載置工程の一例を示した図である。
【図７】本発明の第１の実施形態に係る多重窓構造の施工方法の固定部材取り付け工程の一例を示した図である。
【図８】本発明の第１の実施形態に係る多重窓構造の施工方法の配線取り付け工程の一例を示した図である。
【図９】本発明の第１の実施形態に係る多重窓構造の施工方法の枠体取り付け工程の一例を示した図である。
【図１０】本発明の第２の実施形態に係る多重窓構造の一例を示した断面図である。
【図１１】本発明の第３の実施形態に係る多重窓構造の一例を示した縦断面図である。
【図１２】本発明の第４の実施形態に係る多重窓構造の一例を示した縦断面図である。
【発明を実施するための形態】
【００１２】
以下、図面を参照して、本発明を実施するための形態の説明を行う。
【００１３】
［第１の実施形態］
図１は、本発明の第１の実施形態に係る多重窓構造２００の一例を示した縦断面図である。第１の実施形態に係る多重窓構造２００は、既存ガラス１１及び既存サッシ１２からなる既存の窓１０よりも室内側に、既存の窓１０とは独立して別個に設けられる。具体的には、既存の窓１０が設けられた室内において、固定面２０、２１が形成された箇所に設けられる。固定面２０、２１は、上方に存在する固定面２０と下方に存在する固定面２１があればよく、例えば、窓枠の上面及び下面であってもよいし、部屋の天井面と床面であってもよい。また、固定面２０、２１は、水平に設置された上面と下面ではなく、窓枠の室内側の壁面（垂直面）の上方の領域と下方の領域であってもよい。更に、サッシを仕切る方立のように、室内に固定設置された側面（垂直面）の上部と下部であってもよい。このように、固定面２０、２１は、多重窓構造２００を上下で固定可能であれば、垂直面を含めて種々の面であってよいが、図１に示すように、第１の実施形態では、窓枠が固定面２０、２１である例を挙げて説明する。よって、固定面２０よりも更に室内側には、部屋の天井面２３が設けられている。
【００１４】
第１の実施形態に係る多重窓構造２００は、調光ガラス３０と、上辺枠体４０と、下辺枠体５０とを有する。多重窓構造２００は、既存の窓１０と独立して設けられ、調光ガラス３０、上辺枠体４０及び下辺枠体５０のいずれも既存の窓１０とは接触せず、離間して設けられる。換言すれば、本実施形態に係る多重窓構造２００は、既存の窓１０の構造に関係無く設置可能であり、上下の固定面２０、２１が設けられている限り、既存のいかなる建築物にも設置可能である。この点、新築の建築物のみを対象として設置する調光ガラスを用いたサッシとは大きく異なっている。
【００１５】
多重窓構造２００は、調光ガラス３０の上辺を上辺枠体４０が支持し、下辺を下辺枠体５０が支持する構造を有する。即ち、上辺枠体４０が調光ガラス３０の上辺付近、つまり上端部付近を支持し、下辺枠体５０が調光ガラス３０の下辺付近、つまり下端部付近を支持する。
【００１６】
調光ガラス３０は、調光機能を有するガラスであり、ガラス自体が変色して自身の透過率及び遮蔽性能を変化させることができる。これにより、日光が強い場合には遮蔽性能を高めてブラインドやカーテン等の役割を果たすことができ、日光が弱い場合には、透過率を高めて眺望を確保する、また、積極的に日光を吸収して部屋の中を温める、といった機能を果たすことができる。
【００１７】
調光ガラス３０は、例えば、２枚のガラス板３１、３２の間に、調光機能材料３３が挟まれるように設けられた構成を有する。調光機能材料３３としては、例えば、エレクトロクロミック機能材料を用いてもよい。エレクトロクロミック材料は、電気的に引き起こされる可逆的な酸化還元反応によって着色したり消えたりする高分子材料であり、電圧の印加により色を変えることができる。調光機能材料３３としては、光学的性質を可逆的に可変できる材料であればよく、２枚のガラス板３１、３２のうち少なくとも一方にコーティングすることが可能な薄膜や、２枚のガラス板３１、３２の間に配置可能な固体やゲル状体であってもよい。調光機能材料３３は、上述のエレクトロクロミック機能材料の他、ＳＰＤ（Suspended Particle Device）、液晶、高分子分散型液晶等であってもよい。２枚のガラス板３１、３２によって調光機能材料３３を外部から保護することによって、１枚の調光ガラス３０が構成される。
【００１８】
調光機能材料３３は、電圧を印加することにより透過率及び遮蔽性能が変化するので、電圧の印加が可能なように調光用の配線が接続される。例えば、調光機能材料３３には、コネクタ３４を介して電気配線３５が接続される。電気配線３５は、図示されていない建築物の電源及びコントローラに接続される。図１においては、調光ガラス３０の上辺の所定箇所にコネクタ３４が設けられ、コネクタ３４から延出した電気配線３５が建築物の天井の裏まで延びた構成が示されている。そして、電気配線３５は天井面２３よりも上方の天井裏に引き込まれ、天井裏に設けられた図示しない電源及びコントローラに接続される。
【００１９】
調光ガラス３０のガラス板３１、３２は、種々の、板ガラスで構成されてもよい。ガラスとしては無機ガラスと有機ガラスの両方を含む。無機ガラスとしては、ソーダライムガラス、ホウ珪酸ガラス、無アルカリガラス、石英ガラス等が挙げられる。板ガラスとしては、安全性を高めるために強化ガラス板を用いてもよい。強化ガラス板としては、風冷強化法や化学強化法により得られる強化ガラス板を用いることができる。有機ガラスとしては、ポリカーボネート、アクリル樹脂等が挙げられる。即ち、ガラス板３１、３２は、ガラス素材であることには拘らず、調光機能材料３３を両面から挟持でき、窓ガラスの役割を果たせる透明面材であれば、種々の材料から構成されてよい。ここで、窓ガラスの役割とは、例えば、透明体で視認性を確保できること、日光を採り込むことができること、遮熱効果を有すること等である。このような窓ガラスの基本的な機能を有すれば、ガラス板３１、３２の材質は問わない。このように、ガラス板３１、３２には、用途に応じて種々の材料を採用することができる。
【００２０】
また、ガラス板３１、３２の表面には、Ｌｏｗ−Ｅ膜がコーティングされており、遮熱性及び断熱性を向上させるように構成されていてもよい。その際、ガラス板３１、３２自体に複層ガラスが用いられ、スパッタリングでＬｏｗ−Ｅ膜を成膜し、密封された複層ガラスの内側面にＬｏｗ−Ｅ膜が成膜された構成であってもよい。また、ＣＶＤ（Chemical Vapor Deposition）によりＬｏｗ−Ｅ膜が成膜されたガラス板３１、３２を用いてもよい。スパッタリングにより成膜されたＬｏｗ−Ｅ膜は、乾燥空気中での状態が保たれることが必要であるため、ガラス板３１、３２として複層ガラスを用いることが好ましい。一方、ＣＶＤにより成膜されたＬｏｗ−Ｅ膜は、大気中での使用が可能であり、そのまま１枚のガラス等からなるガラス板３１、３２として用いることが好ましい。
【００２１】
上辺枠体４０は、電気配線３５を覆うとともに、調光ガラス３０の上辺を固定するための部材である。上辺枠体４０は、ベース部材４１と、固定部材４２と、カバー部材４３とを有する。ベース部材４１と固定部材４２とは、調光ガラス３０よりも室内側の係合部４５で係合し、固定部材４２とカバー部材４３とは、やはり調光ガラス３０より室内側の係合部４６、４７でそれぞれ係合している。
【００２２】
ベース部材４１は、調光ガラス３０の上辺の室外側への移動を規制するための部材である。ベース部材４１は、例えば、図１に示されるように、固定面２０に密着して設けられる基部４１ａと、固定面２０から垂直に下方に延びた外側規制部４１ｂとを有するＬ字形の断面形状を有してもよい。基部４１ａは、図１に示されるように、ネジ８０で固定面２０に締結固定されてもよい。これにより、外側規制部４１ｂも固定され、調光ガラス３０の室外側の面の外側への移動を確実に規制することができる。
【００２３】
ベース部材４１は、例えば、調光ガラス３０の上辺に沿って、所定長さ延在した構成としてもよいし、１ピースだけ設けられる構成としてもよいし、２ピース以上設けられる構成としてもよいし、調光ガラス３０の上辺に沿って水平に延びる通し部材として構成されてもよい。ベース部材４１を通し部材として構成すると、安定して調光ガラス３０を支持することができるとともに、コネクタ３４及び電気配線３５を室外側から覆い隠すことができる。また、既存の窓１０のシール性が低い場合には、外部からの雨水の侵入を防止できるという利点も有する。一方、ベース部材４１をピース状に構成した場合には、製造コストを低減できるという利点を有する。ベース部材４１は、断面がＬ字形状を有し、基部４１ａ及び外側規制部４１ｂを備える限り、用途に応じて種々の長さに構成することができる。
【００２４】
なお、外側規制部４１ｂの先端に緩衝材６０が設けられ、外側規制部４１ｂが、調光ガラス３０の室外側の面の外側への移動を、緩衝材６０を介して規制する構成であってもよい。これにより、調光ガラス３０の面に弾性的に接触して室外側への移動を規制することができる。外側規制部４１ｂと調光ガラス３０との間に、隙間が存在していても、調光ガラス３０の室外側への移動を規制することは可能であるが、調光ガラス３０の室外側の面に弾性的に接触し、緩衝材６０に軽く押し付けるように調光ガラス３０を設置した方が、調光ガラス３０を安定的に支持することができるので、緩衝材６０を設ける方がより好ましい。なお、緩衝材６０は、弾性を有する種々の材料から用いられてよいが、例えば、シリコーンを用いてもよく、ゴムを用いてもよい。また、緩衝材６０として、ガスケットを用いてもよい。
【００２５】
なお、ベース部材４１は、調光ガラス３０の上辺の外側への移動を規制するための部材であるため、上辺外側規制部材と呼んでもよい。外側規制部４１ｂは、調光ガラス３０の室外側の面の上辺付近の位置に緩衝材６０を介して接触していればよく、調光ガラス３０の上辺そのものに接触している必要は無い。
【００２６】
固定部材４２は、調光ガラス３０の上辺の室内側への移動を規制するための部材である。固定部材４２は、ベース部材４１と係合部４５で係合し、調光ガラス３０を室内側から支持する。即ち、調光ガラス３０の室内側への移動を規制する。固定部材４２は、調光ガラス３０の上辺の内側への移動を規制していることから、上辺内側規制部材と呼んでもよい。
【００２７】
固定部材４２は、調光ガラス３０の室内側の面に接触するように設けられ、ベース部材４１と固定部材４２とで調光ガラス３０を挟持して固定保持することが好ましいが、調光ガラス３０に接触して設けられることは必須ではなく、調光ガラス３０と多少の隙間を有して設けられてもよい。調光ガラス３０と多少の隙間を有して設けられた場合であっても、調光ガラス３０の上辺の室内側への移動を規制することができるからである。隙間の大きさは、調光ガラス３０の大きさ、用途等により適宜設定してよいが、例えば、０ｍｍより大きく２５ｍｍ以下の範囲、好ましくは０ｍｍより大きく２０ｍｍ以下の範囲、より好ましくは０ｍｍより大きく１５ｍｍ以下の範囲としてもよい。
【００２８】
固定部材４２は、調光ガラス３０の室内側への移動を規制できる面を調光ガラス３０の対向面に有し、カバー部材４３が係合可能である限り、種々の形状を有して構成されてよい。
【００２９】
図１に示されるように、ベース部材４１と固定部材４２とで調光ガラス３０を外側と内側から挟むように支持し、調光ガラス３０の上辺を固定支持する。なお、図１に示されるように、固定部材４２と調光ガラス３０の室内側の面との間には、緩衝材７０が設けられてもよい。固定部材４２も、調光ガラス３０の室内側の面の上辺付近の位置に緩衝材７０を介して接触していればよく、調光ガラス３０の上辺そのものに接触している必要は無い。
【００３０】
図１において、ベース部材４１と固定部材４２とで、調光ガラス３０を挟み込むようにして支持している。調光ガラス３０を確実に保持するという観点では、ベース部材４１と固定部材４２とで調光ガラス３０を挟持することが好ましいが、上述のように、ベース部材４１と固定部材４２は、調光ガラス３０を完全に挟持して固定する必要は必ずしも無く、調光ガラス３０の室外側及び室内側への移動を規制し、調光ガラス３０を緩やかに支持してもよい。ここで、緩やかに支持とは、若干の調光ガラス３０のズレや若干の前後の移動を許容しつつも、調光ガラス３０が倒れない程度に支持していることを意味する。多重窓構造２００は、新築時に設置するサッシと異なり、既存の窓１０に対して調光ガラス３０を追加的に設け、調光機能を付加するとともに、多重窓の構造をとることにより、複層ガラスを設けたのと類似した構造とし、断熱性の向上をも意図している。よって、完全に固定した補修工事とは異なり、倒れるおそれが無い程度に固定してあれば、意図する機能を十分に果たすことができる。
【００３１】
カバー部材４３は、電気配線３５を覆うための部材である。上述のように、調光ガラス３０を設ける場合、調光機能材料３３に電圧を印加する必要があり、そのために電気配線３５を設けざるを得ないが、調光ガラス３０を後付けで設置する場合、電気配線３５が剥き出しになってしまい、外観上の美観を損ねてしまうという問題がある。そこで、本実施形態に係る多重窓構造２００においては、電気配線３５を覆うカバー部材４３を設けている。カバー部材４３で電気配線３５を覆った状態で建築物の天井面２３に穴を開け、電気配線３５を通して天井面２３の裏の電源及びコントローラと接続することにより、調光ガラス３０を後付けすることによる美観の低下を防ぐことができる。図１に示されるように、カバー部材４３は、室内側に水平に延びるとともに、垂直上方に延びて電気配線３５を覆い、電気配線３５が天井裏に延びる部分を覆い隠している。このように、簡素な構成でありながら、既存の窓１０に対して後付けすることにより付加される調光ガラス３０の電気配線３５を確実に覆い隠すことができる。
【００３２】
カバー部材４３は、調光ガラス３０よりも室内側に設けられることが好ましい。図１に示されるように、ベース部材４１は室内の固定面２０にネジ８０により固定されるが、固定部材４２は、取り外し可能な構成となっているため、固定部材４２側に電気配線３５を延在させる構成の方が配線工事の作業が容易である。よって、電気配線３５を調光ガラス３０よりも内側に延出させ、カバー部材４３も調光ガラス３０よりも室内側に設ける構成とすることが好ましい。
【００３３】
なお、カバー部材４３は、電気配線３５が天井面２３内に引き込まれる部分も覆うため、カバー部材４３自体に電気配線３５を通す孔を設ける必要が無い。かかる点からも、本実施形態に係る多重窓構造２００は、意匠上優れた外観を有する。
【００３４】
また、カバー部材４３は、図１に示されるように、固定部材４２と係合部４６、４７において係合して設けられてもよい。調光ガラス３０の設置は、建築業者又は窓取付業者が行う場合が多いが、電気配線３５の配線工事は、電気工事業者が多い。つまり、異なる業者が設置工事と配線工事を行う。例えば、特許文献１に記載したような、サッシの所定部分に電気配線を収納するような構成では、サッシの設置と電気配線の設置を同時に行う必要があるが、両者を同時に行おうとすると、２つの業者の時間を合せる必要があり、制約が大きくなってしまう。
【００３５】
一方、本実施形態に係る多重窓構造２００によれば、調光ガラス３０の設置を先に行い、その後、電気工事業者の都合が良い時に配線工事を行うことができる。つまり、調光ガラスの設置はベース部材４１と固定部材４２のみを用いて行うことできる。その後、電気工事業者の都合が良いときに、電気配線３５の配線設置と、カバー部材４３の取り付けのみを行えば、多重窓構造２００の設置は完了する。このように、本実施形態に係る多重窓構造２００によれば、施工工事も容易に行うことができる。
【００３６】
このように、ベース部材４１、固定部材４２及びカバー部材４３を係合組み立て可能な構成とすることにより、調光ガラス３０を用いた多重窓構造２００の施工を容易に行うことができる。但し、ベース部材４１、固定部材４２及びカバー部材４３が係合組み立て可能なことは必須ではなく、最終的に一体的に組み立てることができれば、接合やネジ固定等により組み立てることも可能である。
【００３７】
また、カバー部材４３の固定部材４２との係合部４７の下方には、水平に調光ガラス３０に向かって延びている水平部４３ａが存在するが、これは、緩衝材７０を下方から覆って美観を低下させないために設けられている。水平部４３ａを設けることは必須ではなく、必要に応じて設けるようにしてよい。
【００３８】
調光ガラス３０の下辺には、下辺枠体５０が設けられる。下辺枠体５０は、調光ガラス３０の下辺を支持する。下辺枠体５０は、上辺枠体４０と同様に、枠状の形状を有し、室外側と室内側から挟むようにして調光ガラス３０の下辺を支持する。下辺枠体５０は、ベース部材５１と、固定部材５２とを有する。
【００３９】
ベース部材５１は、調光ガラス３０の下辺の室外側への移動を規制するための部材である。ベース部材５１は、固定面２１に密着固定される基部５１ａと、基部５１ａから垂直に上方に延びる外側規制部５１ｂとを有し、Ｌ字形の断面形状を有する。ベース部材５１は、上辺枠体４０のベース部材４１と若干形状は異なるが、ベース部材４１と同様にＬ字形の形状を有し、調光ガラス３０の外側への移動を外側規制部５１ｂで規制している点で、ほぼ同様の機能を有する。その意味において、ベース部材５１を下辺外側規制部材と呼んでもよい。なお、基部５１ａが、下方から調光ガラス３０を支持している点で、上辺枠体４０の基部４１ａと若干異なっているが、ネジ８０により固定面２１に締結固定され、外側で鉛直上方に延びる外側規制部５１ｂを支持している点で上辺枠体４０の基部４１ａと同様である。また、上辺枠体４０の外側規制部４１ｂと同様に、外側規制部５１ｂの先端には、緩衝材６０が設けられてもよい。なお、外側規制部５１ｂも、調光ガラス３０の室外側の面の下辺付近の位置に緩衝材６０を介して接触していればよく、調光ガラス３０の下辺そのものに接触している必要は無い。
【００４０】
固定部材５２は、調光ガラス３０の下辺の室内側への移動を規制するための部材であり、上辺枠体４０の固定部材４２と同様の機能を有する。固定部材５２は、形状がＬ字形を有する点で、上辺枠体４０の固定部材４２と異なっているが、ベース部材５１と係合部５３で係合し、調光ガラス３０の下辺を内側から固定している点で、固定部材４２と同様の機能を有する。また、固定部材５２の先端にも、緩衝材７０が設けられ、緩衝材７０を介して弾性的に調光ガラス３０の室内側の面を固定支持してよい。なお、固定部材５２も、調光ガラス３０の室内側の面の下辺付近の位置に緩衝材７０を介して接触していればよく、調光ガラス３０の下辺そのものに接触している必要は無い。
【００４１】
調光ガラス３０の下端と、ベース部材５１の基部５１ａとの間には、セッティングブロック９０が設けられていてもよい。これにより、調光ガラス３０の下端を安定して支持することができる。セッティングブロック９０は、調光ガラス３０を支持可能な強度を有すれば、種々の材料から構成されてよい。また、セッティングブロック９０は、調光ガラス３０の下端に沿って、２ピース設けられる構成が調光ガラス３０を安定して支持するために好ましいが、１ピースだけ設けられる構成としてもよいし、３ピース以上設けられる構成としてもよい。
【００４２】
なお、下辺枠体５０も、上辺枠体４０と同様に、調光ガラス３０の下辺を完全に固定する必要は無く、調光ガラス３０の下辺の外側及び内側への移動を規制し、調光ガラス３０が転倒したり、大幅にずれたりしないように、緩やかに調光ガラス３０の下辺を支持できれば十分である。
【００４３】
ベース部材４１、５１、固定部材４２、５２及びカバー部材４３は、調光ガラス３０を支持可能な強度を有すれば、種々の材料から構成されてよいが、例えば、アルミニウム等の金属材料から構成されてもよい。また、樹脂等から構成されてもよい。このように、上辺枠体４０及び下辺枠体５０は、必要な強度を有する限り、用途に応じて種々の材料から構成され得る。
【００４４】
なお、下辺枠体５０には、上辺枠体４０に設けられていたカバー部材４３に対応する部材は設けられていない。調光機能材料３３は、外側の１辺で電気配線３５と接続していればよいので、上辺においてコネクタ３４及び電気配線３５と接続しているが、下辺において、床の下方に延出するように電気配線３５を設けることも可能であり、左辺や右辺から天井や床に延出するように電気配線３５を設けることも可能である。本実施形態においては、上辺枠体４０のみにカバー部材４３を設ける構成としているが、電気配線３５が床の下方に延出するように設けられる場合、カバー部材を下辺枠体５０に設けてもよい。また、調光機能材料３３の左辺や右辺から天井や床に延出するように電気配線３５が設けられる場合、電気配線３５が覆われるようにカバー部材を延在した構成としてもよい。
【００４５】
図２は、第１の実施形態に係る多重窓構造の一例を室内側から見た正面図である。図２においては、上辺枠体４０のカバー部材４３と、下辺枠体５０の固定部材５２が設けられていない状態が示されている。
【００４６】
図２において、上辺枠体４０のベース部材４１は調光ガラス３０の室外側の面の上辺の全体を通し部材として覆っているが、固定部材４２は、部分的に調光ガラス３０の室内側の面の上辺を覆っている。図２においては、上辺側に２個の固定部材４２が設けられ、調光ガラス３０の上端付近の２箇所を室内側から支持している。図２に示されるように、コネクタ３４は調光ガラス３０の上面の１箇所に設けられるので、その部分を固定部材４２で覆わないように構成すれば、コネクタ３４及び電気配線３５は固定部材４２に覆われず露出した状態となり、アクセスが非常に容易な状態となる。よって、この状態で電気配線３５を天井面２３内に引き込む配線工事を行い、配線工事が終了してからカバー部材４３でコネクタ３４及び電気配線３５を覆うようにすれば、コネクタ３４や電気配線３５が露出せず、美観の低下を防止することができる。
【００４７】
カバー部材４３は、コネクタ３４及び電気配線３５のみを覆う構成としてもよいし、ベース部材４１と同様に、調光ガラス３０の上辺全体を覆う構成としてもよい。意匠上の観点からは、上辺全体を覆う構成の方が好ましい。
【００４８】
このように、調光ガラス３０の上端部からから延出しているコネクタ３４及び電気配線３５を覆わない位置に固定部材４２を設け、固定部材４２は調光ガラス３０の室内側の面を部分的に支持するように構成すれば、コネクタ３４及び電気配線３５へのアクセスが容易となり、配線工事を容易に行うことができる。また、調光ガラス３０が設置されてから独立して配線工事を行うことができ、配線工事の日程調整を容易に行うことができる。
【００４９】
図２に示されるように、調光ガラス３０の下辺は、下辺枠体５０により室外側の面が支持されている。下辺枠体５０のうち、ベース部材５１のみが示されているが、調光ガラス３０を固定する際には、固定部材５２も設けられる。固定部材５２は、調光ガラス３０の下辺の室内側の面の移動を規制できる限り、種々の位置に設けることができ、例えば、上辺枠体４０の固定部材４２に対応するように２箇所に設けられてもよいし、調光ガラス３０の幅方向の両端の２箇所に設けられてもよい。
【００５０】
固定部材４２、５２は、調光ガラス３０の室内側への移動を規制するとともに、調光ガラス３０が転倒しないように支持できれば、１点のみを支持するように設けられてもよいし、２点以上の複数点を支持するように設けられてもよい。
【００５１】
また、上辺枠体４０の固定部材４２は、コネクタ３４及び電気配線３５を覆わない領域を連続的に１個で覆う構成でもよいし、下辺枠体５０の固定部材５２は、調光ガラス３０の下辺の幅方向の全体を通し部材として覆うように構成されてもよい。特に、カバー部材４３が調光ガラス３０の幅全体を覆う構成である場合には、下辺枠体５０の固定部材５２も調光ガラス３０の幅全体を覆う通し部材として構成されている方が、上下のバランスが取れて意匠上の観点からは好ましい。
【００５２】
同様に、ベース部材４１、５１も、図２においては調光ガラス３０の幅方向全体を覆うように構成されているが、必ずしも幅方向全体を覆う構成でなくてもよく、数箇所を部分的に覆って調光ガラス３０を支持するような構成であってもよい。但し、室外側から見た際に、コネクタ３４及び電気配線３５を露出させないという意匠上の観点からは、図２に示されている通り、ベース部材４１を通し部材に構成して調光ガラス３０の上辺全体を覆う構成とする方が好ましく、ベース部材５１も上側のベース部材４１に合わせて通し部材として調光ガラス３０の下辺全体を覆う構成とする方が好ましい。
【００５３】
なお、多重窓構造２００は、既存のブラインド等が収納されているブラインドボックス内に設けるようにしてもよい。既存の窓１０の内側を覆うブラインドが設けられている場合、ブラインドを収納するブラインドボックスが天井面２３０に設けられている場合が多い。ブラインドボックスは、通常、奥行幅が１０ｃｍ〜２０ｃｍ程度である。本実施形態に係る多重窓構造２００は、ベース部材４１からカバー部材４３までの上辺枠体４０の奥行幅が１０ｃｍ未満であり、ブラインドボックスに上辺枠体４０を収納することができる。ブラインドボックスは、天井面２３０に窪み状に形成されているので、その窪み内に上辺枠体４０を収納できることができる。これにより、多重窓構造２００の設置が容易になるとともに、上辺枠体４０自体をブラインドボックス内に収納でき、意匠上優れた美観を有する。また、調光ガラス３０は、ブラインド等の役割を電気的に果たすものであるから、設置場所としても機能及び目的に沿った配置とすることができる。
【００５４】
なお、ブラインドボックス内に上辺枠体４０を設ける場合、カバー部材４３を、下方から視認可能な水平部分のみとする構成であってもよい。
【００５５】
このように、第１の実施形態に係る多重窓構造２００によれば、既存の窓１０とは別個独立に、コネクタ３４及び電気配線３５といった調光機能材料３３への電圧印加に必要な配線を隠しつつ調光ガラス３０を設置することができる。これにより、優れた美観を維持しつつ、最先端の調光ガラス３０を既存の建築物に設置することができる。しかも、調光ガラス３０の設置と電気配線３５等の配線工事も別個に行うことができ、施工も簡易に行うことができる。
【００５６】
更に、多重窓構造２００は、既存の窓１０の内側に設けるため、全体として、複層ガラスに類似した構成を有する。つまり、第１の実施形態に係る多重窓構造２００は、既存の窓１０の既存ガラス１１との気密性、密閉性は従来の複層ガラス構造よりは有していないが、簡便な構造で既存の窓１０の内側に取り付けられ、複層ガラスに近似した構造を有している。かかる多重窓構造２００により、既存の窓１０のみが設けられている場合よりも、遮熱効果を高めることができ、複層ガラスと類似の効果を得ることができる。また、多重窓構造２００は、既存の窓１０に接触することなく設置されているので、既存の窓１０の強度、耐久性に関わらず設置することが可能である。また、既存ガラス１１への接着が不要であるため、養生の時間や労力が不要であり、簡便に設置の施工を行うことができる。そして、調光ガラス３０自体が、透過性、遮光性等を変化させることができるので、通常の複層ガラスよりも優れた調整機能を有する。
【００５７】
このように、第１の実施形態に係る多重窓構造２００は、従来の複層ガラス構造より気密性、密閉性を問わない代わりに、取り付け設置の簡便性、取り外しの容易性等に優れており、強度の弱い既存ガラス１１を用いている中進国の既存の窓１０にも好適に適用できる。つまり、中進国の既存の窓１０に最先端の調光ガラス３０を容易に設置することができ、新築で調光ガラス３０を導入しなかった場合でも、後付けでその利益を享受できる。
【００５８】
図３は、本発明の第１の実施形態に係る多重窓構造２００の一例の横断面図である。図３においては、調光ガラス３０が１枚で構成され、たて枠１１０を設けた構成の多重窓構造２００が示されている。図３に示されるように、たて枠１１０は、側方の固定面（壁面）２２にネジ８０を用いて固定される。たて枠１１０は、ベース部材４１、５１と同様にＬ字形状を有しているが、側方には固定部材４２、５２を設けないため、基部１１１が１枚の板状に構成されており、係合部４５、５３を有しない点で、ベース部材４１、５１と異なっている。なお、調光ガラス３０の側辺の室外側への移動を規制する外側規制部１１２が設けられ、規制部１１２に緩衝材６０が設けられている点は、ベース部材４１、５１と同様である。
【００５９】
このように、必要に応じて、調光ガラス３０の側辺の室外側への移動を規制するため、鉛直方法に延びるたて枠１１０を設けてもよい。
【００６０】
図４は、本発明の第１の実施形態に係る多重窓構造の連続設置の場合の一例の横断面図である。図４においては、調光ガラス３０が２枚で構成されており、２枚の調光ガラス３０が、中央付近でエッジカバー材１２０により連結されている。即ち、図４は、図２で示した態様の横断面図に対応する。エッジカバー材１２０は、２枚の連続する調光ガラス３０の間隔を所定間隔、例えば１０ｍｍ程度に保った状態で、両者を連結する。調光ガラス３０が連続する場合には、連結部にエッジカバー材１２０を用いることにより、連続する２枚の調光ガラス３０の密閉性を保ちつつ連結することができる。
【００６１】
なお、その他の構成要素は、図３と同様であるので、対応する構成要素には同一の参照符号を付してその説明を省略する。
【００６２】
次に、本発明の第１の実施形態に係る多重窓構造２００の施工方法について説明する。
【００６３】
図５は、第１の実施形態に係る多重窓構造２００の施工方法のベース部材取り付け工程の一例を示した図である。ベース部材取り付け工程においては、固定面２０、２１に各々ベース部材４１、５１が取り付けられる。ベース部材４１、５１の取り付けは、例えば、ベース部材４１、５１の基部４１ａ、５１ａがネジ８０により固定面２０、２１にそれぞれ締結固定されることにより取り付けられる。なお、基部４１ａ、５１ａには、ネジ８０が貫通する孔が予め形成されており、固定面２０、２１への螺合締結が可能に構成されている。なお、ベース部材４１、５１の先端には、ゴム等の弾性材料からなる緩衝材６０が設けられていることが好ましい。
【００６４】
また、ベース部材４１、５１が取り付けられる位置は、既存の窓１０よりも内側の調光ガラス３０を設置しようとする位置である。ベース部材４１、５１は、既存の窓１０の既存サッシ１２とは離間して独立して設けられる。
【００６５】
図６は、第１の実施形態に係る多重窓構造２００の施工方法の調光ガラス載置工程の一例を示した図である。調光ガラス設置工程においては、調光ガラス３０を室内側からベース部材４１、５１に接触させるようにして載置する。その際、必要に応じて、下辺枠体５０のベース部材５１の基部５１ａの上にセッティングブロック９０を設置し、その上に調光ガラス３０を載置する。
【００６６】
この段階では、電気配線３５は、調光ガラス３０の上端から下方に自然に垂れた状態であり、固定されていない状態である。なお、電気配線３５の先端には、コネクタ３６が設けられていてもよい。
【００６７】
図７は、第１の実施形態に係る多重窓構造２００の施工方法の固定部材取り付け工程の一例を示した図である。固定部材取り付け工程においては、固定部材４２、５２が取り付けられ、調光ガラス３０を室内側から支持する。固定部材４２、５２は、例えば、ベース部材４１、５１と係合部４５、５３で係合することにより取り付けられる。固定部材４２、５２の先端には、緩衝材７０が設けられ、調光ガラス３０のガラス板３２に当接されることが好ましい。
【００６８】
固定部材取り付け工程により、調光ガラス３０が上辺枠体４０及び下辺枠体５０により挟まれるようにして固定支持される。但し、固定支持は、緩やかな支持でもよいことは上述の通りである。
【００６９】
上方の固定部材４２は、図２で説明した通り、部分的に調光ガラス３０を支持する。よって、隣り合う固定部材４２同士の間には、電気配線３５を引き出し可能な隙間が形成されている。一方、下方の固定部材５２は、通し部材として構成され、隙間が設けられていなくてもよいし、上方の固定部材４２と同様に、隙間が設けられた構成であってもよい。
【００７０】
図５〜図７のベース部材取り付け工程から固定部材取り付け工程が、調光ガラス取り付け工程を構成する。即ち、調光ガラス取り付け工程により、調光ガラス３０が既存の窓１０の内側の所定位置に取り付けられる。
【００７１】
図８は、第１の実施形態に係る多重窓構造２００の施工方法の配線取り付け工程の一例を示した図である。配線取り付け工程においては、配線工事を行い、調光ガラス３０から延出した電気配線３５を天井面２３の裏の電源（図示せず）に通じた配線（図示せず）に接続する配線を行う。かかる配線工事は、通常は、配線工事業者が行う。配線工事においては、離間して設けられた固定部材４２同士の間から、電気配線３５が引き出され、天井面２３の裏に設けられた配線の接続部（図示せず）に、コネクタ３６を接続する。
【００７２】
なお、一旦調光ガラス取り付け工程で調光ガラス３０が取り付けられた後は、調光ガラス３０は安定した状態となっているので、数日間そのままの状態にしても何ら問題無い。即ち、配線工事業者が来られるタイミングまで待って配線工事を行うことができる。
【００７３】
図９は、第１の実施形態に係る多重窓構造２００の施工方法の枠体取り付け工程の一例を示した図である。枠体取り付け工程においては、上辺枠体４０のカバー部材４３が取り付けられ、電気配線３５がカバー部材４３で覆われる。カバー部材４３の取り付けは、例えば、固定部材４２との係合部４６、４７における係合により行われてもよい。
【００７４】
カバー部材４３は、少なくとも電気配線３５を覆い、好ましくは通し部材として構成されて調光ガラス３０の室内側の上辺の幅全体を覆う。
【００７５】
枠体取り付け工程により、電気配線３５が覆われて隠される。これにより、意匠上優れた美観を保つことができる。
【００７６】
このように、本実施形態に係る多重窓構造の施工方法によれば、調光ガラス取り付け工程と配線取り付け工程とを同時に行う必要が無く独立させることができる。また、枠体取り付け工程を終えた後は、意匠上優れた外観を有して調光ガラス３０が既存の建築物に取り付けることができ、容易に調光ガラス３０を導入することができる。
【００７７】
［第２の実施形態］
図１０は、本発明の第２の実施形態に係る多重窓構造２０１の一例を示した断面図である。第２の実施形態に係る多重窓構造２０１は、上辺枠体４０ａのカバー部材４４の形状が第１の実施形態に係る多重窓構造２００の形状と異なっている。また、多重窓構造２０１が設けられている部屋の天井面２３が、図１及び図５〜９に示した部屋の天井面２３よりも高くなっている点で、第１の実施形態に係る多重窓構造２００の取り付け環境と異なっている。その他の構成要素については、第１の実施形態と同様であるので、対応する構成要素に同一の参照符号を付してその説明を省略する。
【００７８】
図１０に示されるように、第２の実施形態に係る多重窓構造２０１においては、カバー部材４４の水平に延びた水平カバー部４４ａから鉛直方向上方に延びた鉛直カバー部４４ｂの長さが、第１の実施形態よりも長くなり、緩衝部材１３０を介して天井面２３と接触している。天井面２３自体も第１の実施形態よりも高くなっているが、鉛直カバー部４４及び緩衝部材１３０とで、天井面２３に接触するまで延伸させている点で、第１の実施形態に係る多重窓構造２００のカバー部材４３と異なっている。このように、カバー部材４４を天井面２３まで延ばす構成としてもよい。カバー部材４３を天井面２３まで延伸させることにより、電気配線３５を完全に覆い隠すことができる。また、カバー部材４４は、必ずしも天井面２３まで延ばさなくても、天井面２３の形状に応じて種々変更することができる。即ち、コネクタ３４及び電気配線３５を適切に覆うことができれば、カバー部材４４は種々の形状とすることができる。このように、天井面２３の形状、高さ等に応じて、カバー部材４４を適切な形状とすることにより、優れた美観を有しつつ調光ガラス３０を設置することができる。
【００７９】
なお、第２の実施形態に係る多重構造窓の施工方法は、第１の実施形態に係る多重窓構造の施工方法と同様の方法で行うことができるので、その説明を省略する。
【００８０】
［第３の実施形態］
図１１は、本発明の第３の実施形態に係る多重窓構造２０２の一例を示した縦断面図である。図１１において、第３の実施形態に係る多重窓構造は、ベース部材５１０の外側規制部５１０ｂの室外側の面の下方に突出部５１０ｃが設けられ、突出部５１０ｃの下方の奥行きのある窪み状の空間にシール材１４０が設けられている点で、第１の実施形態に係る多重窓構造２００と異なっている。
【００８１】
このように、ベース部材５１０の外側規制部５１０ｂの室外側面の下方に、シール材１４０を保持可能なシール材保持空間５１０ｄを形成し、シール材保持空間５１０ｄ内にシール材１４０を設ける構成としてもよい。シール材１４０は、例えば、ゴム等の弾性材から構成されてもよい。シール材１４０を最も外側にあるベース部材５１０の下端部に設けることにより、多重窓構造２０２の下端部のシール性を向上させ、既存の窓１０から雨水等が侵入してきた場合であっても、確実に防水することができる。本発明の実施形態に係る多重窓構造は、基本的には密閉性、気密性の向上は主たる目的としておらず、簡便な多重窓構造の設置による遮熱性の向上を主たる目的としているが、かかるシール材１４０を設ける構成とすることにより、既存の窓１０のシール不良を補うことも可能となる。
【００８２】
なお、その他の構成要素については、第１の実施形態に係る多重窓構造２００と同様であるので、対応する構成要素に同一の参照符号を付してその説明を省略する。
【００８３】
〔第４の実施形態〕
図１２は、本発明の第４の実施形態に係る多重窓構造２０３の一例を示した縦断面図である。第４の実施形態に係る多重窓構造２０３は、ベース部材５１１の下端にシール材１４０を保持している点は、第３の実施形態に係る多重窓構造２０２と同様であるが、突起５１１ｃが外側規制部５１１ｂの室外側面から突出しているのではなく、基部５１１ａの外側の面５１１ｅが室内側に窪んで奥行きのあるシール材保持空間５１１ｄを形成し、室内側に窪んだシール材保持空間５１１ｄ内にシール材１４０を保持している点で、第３の実施形態に係る多重窓構造２０２と異なっている。
【００８４】
このように、基部５１１ａの外側面を室内側に窪ませ、シール材保持空間５１１ｄを形成する構成としてもよい。この場合であっても、多重窓構造２０３の下端部にシール材１４０が設けられているので、第３の実施形態と同様に防水効果を得ることができる。
【００８５】
このように、多重窓構造２００〜２０３は、用途に応じて種々の構成とすることができる。
【００８６】
なお、その他の構成要素については、第１乃至第３の実施形態に係る多重窓構造２００、２０１、２０２と同様であるので、対応する構成要素に同一の参照符号を付してその説明を省略する。
【００８７】
上述した実施形態では既存の窓の室内側に調光ガラスが設けられた構成について説明したが、調光ガラスの他に、配線が接続された板状体であれば本発明を適用できる。例えば、太陽電池、LED内蔵ガラス、発熱ガラス、ブラインド内蔵ガラスを、上述した調光ガラスの代わりに用いてもよい。
【００８８】
太陽電池としては、例えば２枚の中間膜を介して太陽電池セルを、２枚のガラス板によって挟持した合わせガラス構造のものが挙げられる。
【００８９】
LED内蔵ガラスとしては、一方のガラス板の中空層側の主面に透明導電膜を形成し、該透明導電膜にLEDが備えられた複層ガラス、中間膜と透明導電膜を介してLEDを２枚のガラス板によって挟持した合わせガラスが挙げられる。透明導電膜に通電することによりLEDが点灯する。
【００９０】
発熱ガラスとしては、ガラス板の主面に透明導電膜を形成したものが挙げられる。透明導電膜に通電することによりガラス全面が発熱するため、室内を暖めることができる。
【００９１】
ブラインド内蔵ガラスとしては、中空層に電動ブラインドを備えた複層ガラスが挙げられる。
【００９２】
調光ガラス以外の板状体を用いる場合においても、本実施形態に係る多重窓構造の施工方法を同様に適用でき、また、Ｌｏｗ−Ｅ膜のコーティングも調光ガラスと同様に行うことができる。
【００９３】
以上、本発明の好ましい実施形態について詳説したが、本発明は、上述した実施形態に制限されることはなく、本発明の範囲を逸脱することなく、上述した実施形態に種々の変形及び置換を加えることができる。
【００９４】
本願は、日本特許庁に２０１７年７月１９日に出願された基礎出願2017-140043号の優先権を主張するものであり、その全内容を参照によりここに援用する。
【符号の説明】
【００９５】
１０    既存の窓
１１    既存ガラス
１２    既存サッシ
１３    方立
２０、２１、２２    固定面
３０    調光ガラス
３１、３２    ガラス板
３３    調光機能材料
３４、３６    コネクタ
３５    電気配線
４０    上辺枠体
４１、５１、４１０、５１０〜５１３    ベース部材
４１ａ、５１ａ、５１１ａ、５１３ａ    基部
４１ｂ、５１ｂ、１１２、５１０ｂ〜５１３ｂ    外側規制部
４２、５２    固定部材
４３、４４    カバー部材
４４ａ    水平カバー部
４４ｂ    鉛直カバー部
５０    下辺枠体
６０、７０    緩衝材
８０    ネジ
９０、９１    セッティングブロック
１１０、１１０ａ、１１０ｃ    たて枠
１２０    エッジカバー材
１３０    緩衝部材
１４０    シール材
１５０    マグネットガスケット
２００〜２０５    多重窓構造
【図１】
2019017393.tif 000003
【図２】
2019017393.tif 000004
【図３】
2019017393.tif 000005
【図４】
2019017393.tif 000006
【図５】
2019017393.tif 000007
【図６】
2019017393.tif 000008
【図７】
2019017393.tif 000009
【図８】
2019017393.tif 000010
【図９】
2019017393.tif 000011
【図１０】
2019017393.tif 000012
【図１１】
2019017393.tif 000013
【図１２】
2019017393.tif 000014
【国際調査報告】
2019017393.tif 000015
2019017393.tif 000016
2019017393.tif 000017
2019017393.tif 000018